(57)【要約】【課題】車種やグレードによって変わるヒューズ回路のバッテリ系の端子数とオルタネータ系の端子数の変更に対して最小限の設計変更で対応できる。【解決手段】連結プレート部５，１３に各可溶体部６を介して連結される複数の雌及びビス止め端子部７，８，１５が連鎖状に形成された第１，第２ヒューズ回路構成体２Ａ（２Ｂ），３を有し、この第１，第２ヒューズ回路構成体２Ａ（２Ｂ），３がハウジング４に装着され、この装着された第１，第２ヒューズ回路構成体２Ａ（２Ｂ），３によってバッテリとオルタネータからの電流が通電されるヒューズ回路が形成されるヒュージブルリンクユニット１であって、第１ヒューズ回路構成体としてオルタネータ回路用可溶体部１０ａの配置位置が異なるもの２Ａ（２Ｂ）を複数用意し、この複数の第１ヒューズ回路構成体２Ａ（２Ｂ）から選択してハウジング４に装着する。【選択図】      図２
2004186005.tif 000002
【特許請求の範囲】
【請求項１】
連結プレート部に各可溶体部を介して連結される複数の端子部が連鎖状に形成された複数のヒューズ回路構成体を有し、この複数のヒューズ回路構成体がハウジングに装着され、この装着された複数のヒューズ回路構成体によってバッテリとオルタネータからの電流が通電されるヒューズ回路が形成され、このヒューズ回路のバッテリ系とオルタネータ系とが前記複数のヒューズ回路構成体の１つに形成されたオルタネータ回路用可溶体部によって区分けされるヒュージブルリンクユニットであって、
前記オルタネータ回路用可溶体部の配置位置が異なるヒューズ回路構成体を選択的に前記ハウジングに装着自在に設けたことを特徴とするヒュージブルリンクユニット。
【請求項２】
請求項１記載のヒュージブルリンクユニットであって、
前記複数のヒューズ回路構成体は第１ヒューズ回路構成体と第２ヒューズ回路構成体の２枚であることを特徴とするヒュージブルリンクユニット。
【請求項３】
請求項２記載のヒュージブルリンクユニットであって、
前記第１ヒューズ回路構成体は前記連結プレート部に連結されたバッテリ用端子部と共通端子部を有し、前記第２ヒューズ回路構成体は前記連結プレート部に連結された共通端子部を有し、前記第１及び第２ヒューズ回路構成体の双方の前記共通端子部によってオルタネータ用端子部が形成されていることを特徴とするヒュージブルリンクユニット。
【発明の詳細な説明】
【０００１】
【発明の属する技術分野】
本発明は、各可溶体部を介した端子部が連鎖状に連結されるヒューズ回路構成体を有した連鎖型大電流用のヒュージブルリンクユニットに関する。
【０００２】
【従来の技術】
この種の従来のヒュージブルリンクユニットとして、図９〜図１２に示すものがある。このヒュージブルリンクユニット１００は、図９に示すように、第１及び第２ヒューズ回路構成体１０１，１０２と、これらヒューズ回路構成体１０１，１０２が組み込まれるハウジング１０３とを備えている。
【０００３】
図１０に示すように、第１ヒューズ回路構成体１０１は、連結プレート部１０４と、この連結プレート部１０４に各可溶体部１０５を介して連結された複数の端子部１０６ａ，１０６ｂと、連結プレート部１０４の一端側より延設されたバッテリ用端子部１０７と、連結プレート部１０４の他端側にオルタネータ回路用可溶体１０５ａを介して連結された共通端子部１０８とを有し、図示しない導電性を有する平板状のプレート材のプレス加工により形成される。
【０００４】
図１１に示すように、第２ヒューズ回路構成体１０２は、連結プレート部１０９と、この連結プレート部１０９に各可溶体部１１０を介して連結された複数の端子部１１１ａ，１１１ｂと、連結プレート部１０９の他端側より延設された共通端子部１１２とを有し、図示しない導電性を有する平板状のプレート材のプレス加工により形成される。
【０００５】
図９に示すように、ハウジング１０３は略直方体形状を有し、その上方に開口部１１３を有する回路体収容室１１４が内部に形成されている。この回路体収容室１４の下方には複数のコネクタハウジング部１１５と複数の端子支持部１１６が設けられている。
【０００６】
上記構成において、図９に示すように、第１ヒューズ回路構成体１０１及び第２ヒューズ回路構成体１０２をそのフラット面方向を挿入方向とし、且つ、複数の端子部１０６ａ，１０６ｂ，１１１ａ，１１１ｂを挿入先端としてハウジング１０３の開口部１１３より回路体収容室１１４に挿入する。
【０００７】
そして、第１ヒューズ回路構成体１０１及び第２ヒューズ回路構成体１０２が回路体収容室１１４に完全に挿入されると、第１及び第２ヒューズ回路構成体１０１，１０２の各連結プレート部１０４，１０９が回路体収容室１１４に配置されると共に、各端子部１０６ａ，１０６ｂ，１１１ａ，１１１ｂがコネクタハウジング部１１５内や端子支持部１１６の所定位置にセットされる。
【０００８】
次に、第１及び第２ヒューズ回路構成体１０１，１０２の互いの共通端子部１０８，１１２をボルト１１７ａでハウジング１０３に共締めする。この共締めされた双方の共通端子部１０８，１１２によってオルタネータ用端子１３０が形成され、このオルタネータ用端子１３０にオルタネータ用ケーブルの端子が接続される。また、双方の共通端子部１０８，１１２によって第１ヒューズ回路構成体１０１と第２ヒューズ回路構成体１０２が電気的に接続され、第１ヒューズ回路構成体１０１及び第２ヒューズ回路構成体１０２によって図１２に示す所望のヒューズ回路が形成される。
【０００９】
また、バッテリ用端子１０７もボルト１１７ｂによってハウジング１０３に締結する。このバッテリ用端子１０７には図示しないバッテリ用ケーブルの端子が、各コネクタハウジング部１１５内の各端子部１０６ａ，１１１ａには相手側コネクタ１１８の各端子が、端子支持部１１６の各端子部１０６ｂ，１１１ｂにはビス止めでＬＡ端子１１９が、それぞれ接続される。相手側コネクタ１１８の各端子及び各ＬＡ端子１１９はケーブル１２０を介して各負荷にそれぞれ接続され、これら各負荷にバッテリ及びオルタネータからの電源がヒューズ回路を介して分配供給される。そして、負荷側の短絡事故などによって可溶体部１０５，１１０に所定以上の電流が通電されると、可溶体部１０５，１１０が発熱によって溶断し、過電流に基づく事故が防止される。
【００１０】
上記ヒュージブルリンクユニット１００にあっては、平板状の第１及び第２ヒューズ回路構成体１０１，１０２をハウジング１０３に組み込むことによりユニットを構成するため、多くの可溶体部（ヒューズ箇所）１０５，１１０を有するヒューズ回路を非常にコンパクトに構成することができるものである。特に、図１４に示すように、第１ヒューズ回路構成体１０１と第２ヒューズ回路構成体１０２とを狭い間隔Ｗを開けたのみで配置することができるため、ヒューズ回路の増設に対してハウジング１０３の長手方向Ｌを拡張することなく短手方向Ｙのわずかな拡張によって対応させることができる等の利点がある。
【００１１】
【特許文献１】
特開２０００−１３３１１４号公報
【００１２】
【発明が解決しようとする課題】
ところで、前記従来のヒュージブルリンクユニット１００では、図１２に示すように、第１ヒューズ回路構成体１０１がヒューズ回路のバッテリ系を、第２ヒューズ回路構成体１０２がヒューズ回路のオルタネータ系を、それぞれ担当している。従って、第１及び第２ヒューズ回路構成体１０１，１０２によってヒューズ回路のバッテリ系の端子数とオルタネータ系の端子数の最大数が決定され、いずれか一方の端子数の最大数を多くしたい場合には、第１及び第２ヒューズ回路構成体１０１，１０２を端子数の多いものにすると共に、これに伴う大きさのハウジング１０３とする必要があり、第１及び第２ヒューズ回路構成体１０１，１０２とハウジング１０３を設計変更しなければならないという問題がある。
【００１３】
そこで、本発明は、前記した課題を解決すべくなされたものであり、車種やグレードによって変わるヒューズ回路のバッテリ系の端子数とオルタネータ系の端子数の変更に対して最小限の設計変更で対応させることができるヒュージブルリンクユニットを提供することを目的とする。
【００１４】
【課題を解決するための手段】
請求項１の発明は、連結プレート部に各可溶体部を介して連結される複数の端子部が連鎖状に形成された複数のヒューズ回路構成体を有し、この複数のヒューズ回路構成体がハウジングに装着され、この装着された複数のヒューズ回路構成体によってバッテリとオルタネータからの電流が通電されるヒューズ回路が形成され、このヒューズ回路のバッテリ系とオルタネータ系とが前記複数のヒューズ回路構成体の１つに形成されたオルタネータ回路用可溶体部によって区分けされるヒュージブルリンクユニットであって、前記オルタネータ回路用可溶体部の配置位置が異なるヒューズ回路構成体を選択的に前記ハウジングに装着自在に設けたことを特徴とする。
【００１５】
このヒュージブルリンクユニットでは、ハウジングに装着するヒューズ回路構成体としてオルタネータ回路用可溶体部の配置位置の異なるものを使用すると、ヒューズ回路のバッテリ系の端子数とオルタネータ系の端子数との割合を変更することができ、このような端子数の変更に対してオルタネータ回路用可溶体部を有するヒューズ回路構成体の設計変更のみで良い。
【００１６】
請求項２の発明は、請求項１記載のヒュージブルリンクユニットであって、前記複数のヒューズ回路構成体は第１ヒューズ回路構成体と第２ヒューズ回路構成体の２枚であることを特徴とする。
【００１７】
このヒュージブルリンクユニットでは、２枚のヒューズ回路構成体によってヒューズ回路を形成するユニットについて、請求項１の発明と同様の作用が得られる。
【００１８】
請求項３の発明は、請求項２記載のヒュージブルリンクユニットであって、前記第１ヒューズ回路構成体は前記連結プレート部に連結されたバッテリ用端子部と共通端子部を有し、前記第２ヒューズ回路構成体は前記連結プレート部に連結された共通端子部を有し、前記第１及び第２ヒューズ回路構成体の双方の前記共通端子部によってオルタネータ用端子部が形成されていることを特徴とする。
【００１９】
このヒュージブルリンクユニットでは、請求項２の発明の作用に加え、第１及び第２ヒューズ回路構成体の双方の共通端子部によってオルタネータ用端子部が形成されると共に、第１ヒューズ回路構成体と第２ヒューズ回路構成体との電気的接続がなされる。
【００２０】
【発明の実施の形態】
以下、本発明の一実施形態を図面に基づいて説明する。
【００２１】
図１〜図８は本発明の一実施形態を示し、図１は連鎖型大電流用のヒュージブルリンクユニットの斜視図、図２はその分解斜視図、図３は基本型の第１ヒューズ回路構成体の正面図、図４は第２ヒューズ回路構成体の正面図、図５は基本型の第１ヒューズ回路構成体を用いた場合のヒューズ回路図、図６は第１変更型の第１ヒューズ回路構成体の正面図、図７は第１変更形の第１ヒューズ回路構成体を用いた場合のヒュージブルリンクユニットの分解斜視図、図８は第１変更型の第１ヒューズ回路構成体を用いた場合のヒューズ回路図である。
【００２２】
図１〜図４に示すように、ヒュージブルリンクユニット１は、ブスバーである基本型の第１ヒューズ回路構成体２Ａと、同じくブスバーである第２ヒューズ回路構成体３と、これらヒューズ回路構成体２，３が互いに所定の間隔を開けて組み込まれる合成樹脂製のハウジング４とを備えている。
【００２３】
図３に示すように、基本型の第１ヒューズ回路構成体２Ａは、細長い長方形状の連結プレート部５と、この連結プレート部５の短手方向に各可溶体部６を介して連結された複数の雌端子部７と、連結用プレート部５の短手方向に各可溶体部６を介して連結された複数のビス止め用端子部８と、連結プレート部５の短手方向に可溶体部を介さずに直接連結された１つのバッテリ用端子部９と、連結プレート部５の長手方向にオルタネータ回路用可溶体部１０ａを介して連結された差し込み係止部１１と、この差し込み係止部１１の上端で垂直方向に折曲されることによって形成された共通端子部１２とを有し、図示しない導電性で平板状のプレート材をプレス加工することにより一体に形成されている。
【００２４】
各可溶体部６は細幅でクランク状を有し、そのクランク形状の途中に低融点金属が加締め固定されるものであり、それぞれに所定値以上の電流が通電されると溶断されるようになっている。また、オルタネータ回路用可溶体部１０ａは細長で斜め傾斜のストレート状（Ｓ字状やＶ字状でも良い）をしている。複数の雌端子部７と複数のビス止め用端子部８は、隣接するもの同士が間隔を置いて連鎖状に配置されている。
【００２５】
図４に示すように、第２ヒューズ回路構成体３は、細長い長方形状の連結プレート部１３と、この連結プレート部１３の短手方向に各可溶体部１４を介して連結された複数の雌端子部１５と、連結用プレート部１３の短手方向に各可溶体部１４を介して連結された複数のビス止め用端子部１６と、連結プレート部１３の長手方向に延設された差し込み係止部１７と、この差し込み係止部１７の上端で垂直方向に折曲されることによって形成された共通端子部１８とを有し、図示しない導電性で平板状のプレート材をプレス加工することにより一体に形成されている。
【００２６】
各可溶体部１４は、第１ヒューズ回路構成体２の可溶体部６と同様に、細幅でクランク状を有し、そのクランク形状の途中に低融点金属が加締め固定されるものであり、それぞれに所定値以上の電流が通電されると溶断されるようになっている。複数の雌端子部１５と複数のビス止め用端子部１６は、第１ヒューズ回路構成体２のものと同様に、隣接するもの同士が間隔を置いて連鎖状に配置されている。また、第１ヒューズ回路構成体２の共通端子部１２と第２ヒューズ回路構成体３の共通端子部１８とは、ハウジング４に装着された状態にあってボルト１９と共に密着され、この双方の共通端子部１２，１８によってオルタネータ用端子部２０が形成される。
【００２７】
図１及び図２に示すように、ハウジング４は略直方体形状を有し、上方に開口部２５を有する回路体収容室２６が内部に形成されている。回路体収容室２６の下方には複数のコネクタハウジング部２７及び複数の端子支持部２８とが設けられている。このハウジング４の上方には図示しない透明カバーが装着され、この透明カバーによって開口部２５が塞がれるようになっている。
【００２８】
一方、第１ヒューズ回路構成体２Ａには、基本型以外に図６に示す第１変更型のものが用意されている。この第１変更型の第１ヒューズ回路構成体２Ｂは、基本型のものと比較して、オルタネータ回路用可溶体部１０ｂの配置位置以外の構成が全て同一であり、図６の同一構成箇所に同一符号を付してその詳細な説明を省略し、異なる構成のみを説明する。
【００２９】
即ち、第１変更型の第１ヒューズ回路構成体２Ｂは、図６の右から２番目のビス止め用端子部８と右から１番目の雌端子部７との間の連結プレート部５間にオルタネータ回路用可溶体部１０ｂが配置されている。この第１変更型の第１ヒューズ回路構成体２Ｂは、基本型の第１ヒューズ回路構成体２Ａと基本的に同一形状であるため、双方の第１ヒューズ回路構成体２Ａ，２Ｂが選択的にハウジング４に装着可能である。
【００３０】
次に、上記ヒュージブルリンクユニット１の組み付けを簡単に説明する。基本型の第１ヒューズ回路構成体２Ａを用いる場合を例とすると、図２に示すように、第１ヒューズ回路構成体２Ａ及び第２ヒューズ回路構成体３をそのフラット面方向を挿入方向とし、且つ、複数の雌端子部７，１５等を挿入先端としてハウジング４の開口部２５より回路体収容室２６に挿入する。第１ヒューズ回路構成体２Ａ及び第２ヒューズ回路構成体３が互いに所定の間隔を開けてハウジング４の開口部２５より回路体収容室２６に完全に挿入されると、第１及び第２ヒューズ回路構成体２Ａ，３の各連結プレート部５，１３が回路体収容室２６に配置されると共に、各端子部７，８，１５，１６がコネクタハウジング部２７内や端子支持部２８の所定位置にセットされる。
【００３１】
また、第１及び第２ヒューズ回路構成体２Ａ，３の互いの共通端子部１２，１８はボルト１９と共に密着され、双方の共通端子部１２，１８によってオルタネータ用端子部２０が形成される。また、共通端子部１２，１８を介して第１ヒューズ回路構成体２Ａと第２ヒューズ回路構成体３が電気的に接続される。
【００３２】
次に、バッテリ用端子部９には図示しないバッテリ用ケーブルの端子が、オルタネータ用端子２０にはボルト１９とナットによってオルタネータ用ケーブルのＬＡ端子（いずれも図示せず）が接続される。また、各コネクタハウジング部２７内の各雌端子部７，１５には相手側コネクタの各雄端子（図示せず）が、端子支持部２８のビス止め用端子部８，１６にはナット部材２９とビス（図示せず）によってＬＡ（丸形）端子３０がそれぞれ接続される。相手側コネクタの各雄端子及び各ＬＡ端子３０はケーブル３１を介して図示しない各負荷にそれぞれ接続される。
【００３３】
このようにして組み付けされたヒュージブルリンクユニット１は、図５に示す基本型のヒューズ回路を形成し、各負荷にバッテリやオルタネータからの電源がヒューズ回路を介して分配供給される。また、バッテリの電源が少なくなると、オルタネータよりバッテリに電源が供給されることによって充電が行われる。そして、負荷側の短絡事故などによっていずれかの可溶体部６，１０，１４に所定以上の電流が通電されると、可溶体部６，１０，１４が発熱によって溶断し、過電流に基づく事故が防止される。
【００３４】
一方、基本型の第１ヒューズ回路構成体２Ａに変えて、図７に示すように、第１変更型の第１ヒューズ回路構成体２Ｂと第２ヒューズ回路構成体３とを同様にハウジング４に組み付けることができる。第１変更型の第１ヒューズ回路構成体２Ｂを用いた場合には図８に示す第１変更型のヒューズ回路が形成され、前記と同様に各負荷にバッテリやオルタネータからの電源がヒューズ回路を介して分配供給される。
【００３５】
ところで、基本型の第１ヒューズ回路構成体２Ａを用いたヒューズ回路は、図５に示すように、バッテリ系の端子数が９個で、オルタネータ系の端子数が１０個であり、第１変更型の第１ヒューズ回路構成体２Ｂを用いたヒューズ回路は、図８に示すように、バッテリ系の端子数が７個で、オルタネータ系の端子数が１２個である。ここで、ＬＯＷグレード車は、バッテリ系及びオルタネータ系の各端子数が７個と１０個であり、これに対し、オプション設定のためオルタネータ系が多く必要なＨＩＧＨグレード車は、バッテリ系及びオルタネータ系の各端子数が７個と１２個であるとすると、ＬＯＷグレード車の場合には基本型の第１ヒューズ回路構成体２Ａをハウジング４に組み付け（バッテリ系で使用されない２端子は予備）、ＨＩＧＨグレード車の場合には第１変更型の第１ヒューズ回路構成体１Ｂをハウジング４に組み付ければ、車種やグレードによって変わるヒューズ回路のバッテリ系の端子数とオルタネータ系の端子数の変更に対応させることができる。
【００３６】
以上、このヒュージブルリンクユニット１では、ハウジング４に装着する第１ヒューズ回路構成体２Ａ，２Ｂとしてオルタネータ回路用可溶体部１０ａ，１０ｂの配置位置の異なるものを使用すると、ヒューズ回路のバッテリ系の端子数とオルタネータ系の端子数との割合を変更することができるものであり、このような端子数の変更に対してオルタネータ回路用可溶体部１０ａ，１０ｂを有する第１ヒューズ回路構成体２Ａ，２Ｂの設計変更のみで良い。従って、車種やグレードによって変わるヒューズ回路のバッテリ系の端子数とオルタネータ系の端子数の変更に対して最小限の設計変更で対応させることができる。また、第１ヒューズ回路構成体２Ａ，２Ｂの変更自体も、プレス内のコマ入れ替えやプレス後の単型抜きによって容易に行うことができるため、車種やグレード車による変更がきわめて容易である。
【００３７】
前記実施形態では、第１ヒューズ回路構成体２Ａ，２Ｂは連結プレート部５に連結されたバッテリ用端子部９と共通端子部１２を有し、第２ヒューズ回路構成体３は、連結プレート部１３に連結された共通端子部１８を有し、第１及び第２ヒューズ回路構成体２Ａ（２Ｂ），３の双方の共通端子部１２，１８によってオルタネータ用端子部２０が形成されているので、第１及び第２ヒューズ回路構成体２Ａ（２Ｂ），３の双方の共通端子部１２，１８によってオルタネータ用端子部２０が形成されると共に、第１ヒューズ回路構成体２Ａ（２Ｂ）と第２ヒューズ回路構成体３との電気的接続がなされるため、第１ヒューズ回路構成体２Ａ（２Ｂ）と第２ヒューズ回路構成体３とを電気的に接続する部分を別途設ける必要がない。
【００３８】
また、前記実施形態では、第１ヒューズ回路構成体２Ａ，２Ｂが基本型と第１変更型の２種類の場合を示したが、第２変更型としては、例えば図６の仮想線位置にオルタネータ回路用可溶体部１０ｃを配置したものが考えられる。第２変更型の第１ヒューズ回路構成体は、バッテリ系の端子数が８個で、オルタネータ系の端子数が１１個である。
【００３９】
尚、前記実施形態によれば、第１及び第２ヒューズ回路構成体２Ａ（２Ｂ），３の２枚でヒューズ回路を形成したが、ヒューズ回路構成体を３枚以上で形成する場合にも同様に適用することができることは勿論である。
【００４０】
【発明の効果】
以上説明したように、請求項１の発明によれば、オルタネータ回路用可溶体部の配置位置が異なるヒューズ回路構成体を選択的にハウジングに装着自在に設けたので、ハウジングに装着するヒューズ回路構成体としてオルタネータ回路用可溶体部の配置位置の異なるものを使用すると、ヒューズ回路のバッテリ系の端子数とオルタネータ系の端子数との割合を変更することができ、このような端子数の変更に対してオルタネータ回路用可溶体部を有するヒューズ回路構成体の設計変更のみで良い。従って、車種やグレードによって変わるヒューズ回路のバッテリ系の端子数とオルタネータ系の端子数の変更に対して最小限の設計変更で対応させることができる。
【００４１】
請求項２の発明によれば、２枚のヒューズ回路構成体によってヒューズ回路を形成するユニットについて、請求項１の発明と同様の効果が得られる。
【００４２】
請求項３の発明によれば、第１及び第２ヒューズ回路構成体の双方の共通端子部によってオルタネータ用端子部が形成されると共に、第１ヒューズ回路構成体と第２ヒューズ回路構成体との電気的接続がなされるため、第１ヒューズ回路構成体と第２ヒューズ回路構成体とを電気的に接続する部分を別途設ける必要がない。
【図面の簡単な説明】
【図１】本発明の一実施形態を示し、連鎖型大電流用のヒュージブルリンクユニットの斜視図である。
【図２】本発明の一実施形態を示し、ヒュージブルリンクユニットの分解斜視図である。
【図３】本発明の一実施形態を示し、基本型の第１ヒューズ回路構成体の正面図である。
【図４】本発明の一実施形態を示し、第２ヒューズ回路構成体の正面図である。
【図５】本発明の一実施形態を示し、基本型の第１ヒューズ回路構成体を用いた場合のヒューズ回路図である。
【図６】本発明の一実施形態を示し、第１変更型の第１ヒューズ回路構成体の正面図である。
【図７】本発明の一実施形態を示し、第１変更形の第１ヒューズ回路構成体を用いた場合のヒュージブルリンクユニットの分解斜視図である。
【図８】本発明の一実施形態を示し、第１変更型の第１ヒューズ回路構成体を用いた場合のヒューズ回路図である。
【図９】従来例を示し、ヒュージブルリンクユニットの分解斜視図である。
【図１０】従来例の第１ヒューズ回路構成体の斜視図である。
【図１１】従来例の第２ヒューズ回路構成体の斜視図である。
【図１２】従来例のヒューズ回路図である。
【符号の説明】
１  ヒュージブルリンクユニット
２Ａ，２Ｂ  第１ヒューズ回路構成体（ヒューズ回路構成体）
３  第２ヒューズ回路構成体（ヒューズ回路構成体）
４  ハウジング
５，１３  連結プレート部
６，１４  可溶体部
７，１５  雌端子部（端子部）
８，１６  ビス止め用端子部（端子部）
９  バッテリ用端子部
１０ａ，１０ｂ，１０ｃ  オルタネータ回路用可溶体部
１２，１８  共通端子部
２０  オルタネータ用端子部
【図１】
2004186005.tif 000003
【図２】
2004186005.tif 000004
【図３】
2004186005.tif 000005
【図４】
2004186005.tif 000006
【図５】
2004186005.tif 000007
【図６】
2004186005.tif 000008
【図７】
2004186005.tif 000009
【図８】
2004186005.tif 000010
【図９】
2004186005.tif 000011
【図１０】
2004186005.tif 000012
【図１１】
2004186005.tif 000013
【図１２】
2004186005.tif 000014